(57)【特許請求の範囲】
【請求項１】
下向きおよび横向きの一対のポール挿入穴を有する照明器具本体と、この照明器具本体に設けられ前記一対のポール挿入穴に臨むポール固定用ボルトのねじ穴を有するポール取付金具とを備え、前記ポール取付金具は、照明器具本体に固定された固定金具と、この固定金具に水平方向の軸周りに回動自在に連結され前記ポール固定用ボルトの前記ねじ穴を有する補助金具とからなり、前記補助金具が前記軸を支点にして可動することにより前記ねじ穴を水平、垂直の２方向に配置可能とした照明器具。
【請求項２】
前記固定金具は内部にポール端部を挿入可能な略ハット形で、その対向する側片の上部に前記補助金具の軸が支持され、かつ前記補助金具が水平姿勢のときに前記ポール固定用ボルトの前記ねじ穴に整合するボルト挿通穴を有する請求項１記載の照明器具。
【請求項３】
下向きおよび横向きの一対のポール挿入穴を有する照明器具本体と、この照明器具本体に設けられ前記一対のポール挿入穴に臨むポール固定用ボルトのねじ穴を有するポール取付金具とを備え、前記ポール取付金具は内部にポール端部を挿入可能な略ハット形で、その上片と両側片に前記ポール固定用ボルトの前記ねじ穴を設け、前記両側片のポール固定用ボルトの前記ねじ穴を、前記ポール取付金具の前記両側片の相互に傾斜した部分に設けることで、複数の方向から固定可能とした照明器具。
【発明の詳細な説明】
【０００１】
【発明の属する技術分野】
この発明は、屋外用のポール取付型照明器具に関するものである。
【０００２】
【従来の技術】
従来のポール取付型照明器具は、ポールの挿入方向が任意の一方向に限定されている。すなわち、直線型のポール用照明器具はポール挿入穴が下向き、曲線型のポール用照明器具はポール挿入穴が横向きとなっている。このため、図１３に示すように、直線型のポール５０に曲線型のポール用照明器具を取付ける際は、その間にアダプタ５１を介在させ、また曲線型のポール５２に直線型のポール用照明器具を取付ける際は、その間にアダプタ５３を介在させている。
【０００３】
【発明が解決しようとする課題】
上記のように従来のポール取付型照明器具は、直線型ポールと曲線型ポールのうちのいずれか一方にのみ対応しており、対応していないポールに取付けるにはアダプタが必要になるという問題があった。
【０００４】
また、直線型、曲線型ポールのいずれにも対応できる照明器具は存在したが、構造が複雑でコスト高であった。
【０００５】
したがって、この発明の目的は、アダプタ等の別部品を介することなく、直線型ポール、曲線型ポールのいずれにも取付けでき、かつコストを抑えることができる照明器具を提供することである。
【０００６】
【課題を解決するための手段】
上記課題を解決するためにこの発明の請求項１記載の照明器具は、下向きおよび横向きの一対のポール挿入穴を有する照明器具本体と、この照明器具本体に設けられ前記一対のポール挿入穴に臨むポール固定用ボルトのねじ穴を有するポール取付金具とを備え、前記ポール取付金具は、照明器具本体に固定された固定金具と、この固定金具に水平方向の軸周りに回動自在に連結され前記ポール固定用ボルトの前記ねじ穴を有する補助金具とからなり、前記補助金具が前記軸を支点にして可動することにより前記ねじ穴を水平、垂直の２方向に配置可能とした。
【０００７】
このように、下向きおよび横向きの一対のポール挿入穴に臨むポール固定用ボルトのねじ穴を有するポール取付金具を照明器具本体に設けているので、同一の器具で直線型および曲線型の２種類の取付方向のポールを確実に取付けることができる。また、ポール取付金具は１種類でよいので製造上のコスト上昇を抑えることができ、また在庫管理も容易になる。
さらに固定金具に水平方向の軸周りに回動自在に連結されポール固定用ボルトのねじ穴を有する補助金具が軸を支点にして可動することによりねじ穴が水平、垂直の２方向に配置されるので、ポールの挿入方向に応じて補助金具が連動して位置が決まり、装着の間違いを防ぐことができる。
【００１０】
請求項２記載の照明器具は、請求項１において、前記固定金具は内部にポール端部を挿入可能な略ハット形で、その対向する側片の上部に前記補助金具の軸が支持され、かつ前記補助金具が水平姿勢のときに前記ポール固定用ボルトの前記ねじ穴に整合するボルト挿通穴を有する。
このように、固定金具は内部にポール端部を挿入可能な略ハット形で、その対向する側片の上部に補助金具の軸が支持され、かつ補助金具が水平姿勢のときにポール固定用ボルトのねじ穴に整合するボルト挿通穴を有するので、ポール挿入前、補助金具は自重により垂直状態となり、直線型ポールを取付けることができる。また、曲線型ポールを取付けるときは、ポール挿入に連動して補助金具が回動して水平姿勢となる。このとき、ポール固定用ボルトのねじ穴に固定金具のボルト挿通穴が整合するので取付けが可能となる。
【００１２】
請求項３記載の照明器具は、下向きおよび横向きの一対のポール挿入穴を有する照明器具本体と、この照明器具本体に設けられ前記一対のポール挿入穴に臨むポール固定用ボルトのねじ穴を有するポール取付金具とを備え、前記ポール取付金具は内部にポール端部を挿入可能な略ハット形で、その上片と両側片に前記ポール固定用ボルトの前記ねじ穴を設け、前記両側片のポール固定用ボルトの前記ねじ穴を、前記ポール取付金具の前記両側片の相互に傾斜した部分に設けることで、複数の方向から固定可能とした。
このように、下向きおよび横向きの一対のポール挿入穴に臨むポール固定用ボルトのねじ穴を有するポール取付金具を照明器具本体に設けているので、同一の器具で直線型および曲線型の２種類の取付方向のポールを確実に取付けることができる。また、ポール取付金具は１種類でよいので製造上のコスト上昇を抑えることができ、また在庫管理も容易になる。
ポール取付金具は内部にポール端部を挿入可能な略ハット形で、その上片と両側片にポール固定用ボルトのねじ穴を設けたので、簡単な構造で、容易に製造できコストダウンを図ることができる。
【００１３】
さらに、水平方向のポール固定用ボルトのねじ穴を、ポール取付金具の両側片の相互に傾斜した部分に設けることで、複数の方向から固定可能としたので、直線型ポールの固定強度が向上する。
【００１４】
【発明の実施の形態】
この発明の第１の実施の形態の照明器具を図１ないし図６に基づいて説明する。図１はこの発明の第１の実施の形態の照明器具の断面側面図、図２はこの照明器具の断面平面図、図３はこの照明器具の背面図、図４はこの発明の第１の実施の形態におけるポール取付金具の分解斜視図である。
【００１５】
図１ないし図３において、１は道路灯などに用いる照明器具本体で、ポールに取付けるためのポール取付金具２が設けてある。照明器具本体１は、アルミダイカスト等の堅牢な材質で構成され、下向きおよび横向きの一対のポール挿入穴３，４を下部および後部にそれぞれ設けている。ポール取付金具２は、ステンレス鋼等の堅牢な材質で構成され、ポール固定用ボルト５のねじ穴６が設けてある。このポール固定用ボルト５のねじ穴６は、一対のポール挿入穴３，４に臨み、ポール挿入穴３または４から挿入されたポールの外周面にポール固定用ボルト５の先端を当接可能とする。
【００１６】
すなわち、図４に示すように、ポール取付金具２は、照明器具本体１にボルト・ナット等で固定された固定金具７と、この固定金具７に水平方向の軸８周りに回動自在に連結されポール固定用ボルト５のねじ穴６を有する補助金具９とからなり、補助金具９が軸８を支点にして可動することによりねじ穴を水平、垂直の２方向に配置可能としている。この場合、固定金具７は内部にポール端部を挿入可能な略ハット形で、その対向する側片の上部に補助金具９の軸８が支持され、かつ補助金具９が水平姿勢のときにポール固定用ボルト５のねじ穴６に整合するボルト挿通穴１０を有する。また、図１において、Ｄ３は直線型ポール用の下向きのポール挿入穴３の範囲を示し、Ｄ４は曲線型ポール用の横向きのポール挿入穴４の範囲を示し、その部分にカバー１５が取付けられる。カバー１５はポール挿入穴３，４のどちらにも取付けることができ、使用しない一方にねじ止めされ、埃、雨等の進入を防ぐものである。また、照明器具本体１は上部１ａと下部１ｂに２分割され止め具１７により連結されているが、止め具１７を外し軸１６を中心に上部１ａを回動させることで、ポール固定用ボルト５等の操作を行うことができる。また、ランプ１７のソケット１８は下部１ｂに固定され、反射板１９は上部１ａに固定される。
【００１７】
上記構成の照明器具のポールへの取付けについて図５および図６を用いて説明する。図５はこの発明の第１の実施の形態において直線型ポールへの取付状態を示す説明図、図６はこの発明の第１の実施の形態において曲線型ポールへの取付状態を示す説明図である。
【００１８】
図５に示すように、ポール挿入前、補助金具９は自重により垂直姿勢となる。この状態で直線型ポール２０をポール挿入穴３に挿入してポール固定用ボルト５をねじ穴６に螺合して締め付けることにより、直線型ポール２０を照明器具本体１に固定することができる。このとき、ポール先端は固定金具７の上片に当接して位置決めされる。また、図６に示すように、曲線型ポール２１を取付ける時は、曲線型ポール２１をポール挿入穴４に挿入すると、ポールの挿入方向に応じて補助金具９が連動して位置が決まる。すわなち、ポール挿入に連動して補助金具９が回動して水平姿勢となる。このとき、ねじ穴６に固定金具７のボルト挿通穴１０が整合することで、ポール固定用ボルト５をボルト挿通穴１０に挿通してねじ穴６への螺合が可能となり、同様に締め付けて曲線型ポール２１を照明器具本体１に固定することができる。
【００１９】
以上のようにこの実施の形態によれば、下向きおよび横向きの一対のポール挿入穴３，４に臨むポール固定用ボルト５のねじ穴６をそれぞれ位置させたポール取付金具２を照明器具本体１に設けているので、同一の器具で直線型および曲線型の２種類の取付方向のポールを確実に取付けることができる。また、ポール取付金具は１種類でよいので製造上のコスト上昇を抑えることができ、また在庫管理も容易になる。また、ポール取付金具２は、その姿勢が変化することでポール固定用ボルト５のねじ穴６を水平、垂直の２方向に配置可能としたので、取付けるポールの種類が変わっても同じねじ穴を使用することができる。このため、ポール取付金具２のねじ穴を少なくでき加工作業が容易になる。また、補助金具９が軸８を支点にして可動することによりねじ穴が水平、垂直の２方向に配置されるので、ポールの挿入方向に応じて補助金具９が連動して位置が決まり、装着の間違いを防ぐことができる。なお、軸８は固定金具７の側片の下部に配置してもよい。
【００２０】
この発明の第２の実施の形態の照明器具を図７ないし図１２に基づいて説明する。図７はこの発明の第２の実施の形態の照明器具の断面側面図、図８はこの照明器具の断面平面図、図９はこの照明器具の背面図、図１０はこの発明の第２の実施の形態におけるポール取付金具の斜視図である。なお、第１の実施の形態のと同様の部材には同一符号を付して説明を省略する。
【００２１】
図７ないし図９において、２２はポール取付金具であり、ステンレス鋼等の堅牢な材質で構成され、ポール固定用ボルト２５のねじ穴２６，２７が設けてある。このポール固定用ボルト２５のねじ穴２６，２７は、一対のポール挿入穴３，４に臨むように水平方向および垂直方向に各々形成され、ポール挿入穴３または４から挿入されたポールの外周面にポール固定用ボルト２５の先端を当接可能とする。
【００２２】
この場合、図１０に示すように、ポール取付金具２２は内部にポール端部を挿入可能で外鍔が照明器具本体１にボルト・ナットで固定された略ハット形で、その上片２２ａに曲線型ポール用のねじ穴２６を設け、両側片２２ｂ，２２ｂに相互に傾斜した段付部２２ｃを形成してその位置に直線型ポール用のねじ穴２７を設けている。これにより相互のポール固定用ボルト２５の軸心に角度を付けることができる。また、段付部２２ｃを形成せずに、相互のポール固定用ボルト２５の軸心が一致するようにしてもよい。
【００２３】
上記構成の照明器具のポールへの取付けについて図１１および図１２を用いて説明する。図１１はこの発明の第２の実施の形態において曲線型ポールへの取付状態を示す説明図、図１２はこの発明の第２の実施の形態において直線型ポールへの取付状態を示す説明図である。
【００２４】
図１１に示すように、曲線型ポール２１をポール挿入穴４に挿入してポール固定用ボルト２５をねじ穴２６に螺合して締め付けることにより、曲線型ポール２１を照明器具本体１に固定することができる。また、図１２に示すように、直線型ポール２０を取付ける時は、直線型ポール２０をポール挿入穴３に挿入してポール固定用ボルト２５をねじ穴２７に螺合して同様に締め付けることにより、直線型ポール２０を照明器具本体１に固定することができる。このとき、一対のポール固定用ボルト２５，２５と照明器具本体１側の当接部２８とで３点支持状態となる。また、ポール先端はポール取付金具２２の上片に当接して位置決めされる。
【００２５】
以上のようにこの実施の形態によれば、ポール取付金具２２は、ポール固定用ボルト２５のねじ穴２６，２７を水平方向および垂直方向に各々有するので、ポールの挿入方向に応じてねじ穴２６，２７を選択することにより、いずれの方向にも取付可能となる。また、ポール取付金具２２は内部にポール端部を挿入可能な略ハット形で、その上片２２ａと両側片２２ｂにねじ穴２６，２７を設けたので、簡単な構造で、容易に製造できコストダウンを図ることができる。
【００２６】
また、水平方向のポール固定用ボルト２５のねじ穴２６，２７を、ポール取付金具２２の両側片の相互に傾斜した段付部２２ｃに設けることで、複数の方向から固定可能としたので、直線型ポールの固定強度が向上する。また、ポール取付金具の両方の開口部を絞った状態にして一対の段付部とねじ穴を反対側にも設けてもよい。
【００２７】
【発明の効果】
この発明の照明器具によれば、下向きおよび横向きの一対のポール挿入穴に臨むポール固定用ボルトのねじ穴を有するポール取付金具を照明器具本体に設けているので、同一の器具で直線型および曲線型の２種類の取付方向のポールを確実に取付けることができる。また、ポール取付金具は１種類でよいので製造上のコスト上昇を抑えることができ、また在庫管理も容易になる。
固定金具に水平方向の軸周りに回動自在に連結されポール固定用ボルトのねじ穴を有する補助金具が軸を支点にして可動することによりねじ穴が水平、垂直の２方向に配置されるので、ポールの挿入方向に応じて補助金具が連動して位置が決まり、装着の間違いを防ぐことができる。
【００３０】
請求項２では、固定金具は内部にポール端部を挿入可能な略ハット形で、その対向する側片の上部に補助金具の軸が支持され、かつ補助金具が水平姿勢のときにポール固定用ボルトのねじ穴に整合するボルト挿通穴を有するので、ポール挿入前、補助金具は自重により垂直状態となり、直線型ポールを取付けることができる。また、曲線型ポールを取付けるときは、ポール挿入に連動して補助金具が回動して水平姿勢となる。このとき、ポール固定用ボルトのねじ穴に固定金具のボルト挿通穴が整合するので取付けが可能となる。
【００３２】
請求項３では、下向きおよび横向きの一対のポール挿入穴に臨むポール固定用ボルトのねじ穴を有するポール取付金具を照明器具本体に設けているので、同一の器具で直線型および曲線型の２種類の取付方向のポールを確実に取付けることができる。また、ポール取付金具は１種類でよいので製造上のコスト上昇を抑えることができ、また在庫管理も容易になる。
またポール取付金具は内部にポール端部を挿入可能な略ハット形で、その上片と両側片にポール固定用ボルトのねじ穴を設けたので、簡単な構造で、容易に製造できコストダウンを図ることができる。
【００３３】
さらに水平方向のポール固定用ボルトのねじ穴を、ポール取付金具の両側片の相互に傾斜した部分に設けることで、複数の方向から固定可能としたので、直線型ポールの固定強度が向上する。
【図面の簡単な説明】
【図１】この発明の第１の実施の形態の照明器具の断面側面図である。
【図２】この発明の第１の実施の形態の照明器具の断面平面図である。
【図３】この発明の第１の実施の形態の照明器具の背面図である。
【図４】この発明の第１の実施の形態におけるポール取付金具の分解斜視図である。
【図５】この発明の第１の実施の形態において直線型ポールへの取付状態を示す説明図である。
【図６】この発明の第１の実施の形態において曲線型ポールへの取付状態を示す説明図である。
【図７】この発明の第２の実施の形態の照明器具の断面側面図である。
【図８】この発明の第２の実施の形態の照明器具の断面平面図である。
【図９】この発明の第２の実施の形態の照明器具の背面図である。
【図１０】この発明の第２の実施の形態におけるポール取付金具の斜視図である。
【図１１】この発明の第２の実施の形態において曲線型ポールへの取付状態を示す説明図である。
【図１２】この発明の第２の実施の形態において直線型ポールへの取付状態を示す説明図である。
【図１３】従来例の説明図である。
【符号の説明】
１  照明器具本体
２  ポール取付金具
３，４  ポール挿入穴
５  ポール固定用ボルト
６  ねじ穴
７  固定金具
８  軸
９  補助金具
２０  直線型ポール
２１  曲線型ポール
【図１】
0004366780.tif 000002
【図２】
0004366780.tif 000003
【図３】
0004366780.tif 000004
【図４】
0004366780.tif 000005
【図５】
0004366780.tif 000006
【図６】
0004366780.tif 000007
【図７】
0004366780.tif 000008
【図８】
0004366780.tif 000009
【図９】
0004366780.tif 000010
【図１０】
0004366780.tif 000011
【図１１】
0004366780.tif 000012
【図１２】
0004366780.tif 000013
【図１３】
0004366780.tif 000014